【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
キャリアアグリゲーション回路であって、
入力ノードと、低雑音増幅器の入力に結合されるように構成された共通ノードと、
前記入力ノードと前記共通ノードとの間にある第１の受信経路とを備え、前記第１の受信経路は、第１の周波数帯において整合インピーダンスを与え、かつ第２の周波数帯において不整合インピーダンスを与える第１のフィルタを含み、さらに、
前記入力ノードと前記共通ノードとの間にある第２の受信経路を備え、前記第２の受信経路は、前記第２の周波数帯において整合インピーダンスを与え、かつ前記第１の周波数帯において不整合インピーダンスを与える第２のフィルタを含み、さらに、
前記第１の受信経路に沿って実装されて、前記第１の受信経路のために前記第１の周波数帯における前記整合インピーダンスを維持し、前記第１の受信経路のために前記第２の周波数帯における前記不整合インピーダンスを、前記第２の周波数帯における開放インピーダンスに調整する第１の位相シフト回路と、
前記第２の受信経路に沿って実装されて、前記第２の受信経路のために前記第２の周波数帯における前記整合インピーダンスを維持し、前記第２の受信経路のために前記第１の周波数帯における前記不整合インピーダンスを、前記第１の周波数帯における開放インピーダンスに調整する第２の位相シフト回路と、
前記第１の位相シフト回路と前記共通ノードとの間に実装された第１のスイッチと、前記第２の位相シフト回路と前記共通ノードとの間に実装された第２のスイッチとをさらに備え、前記第１のスイッチおよび前記第２のスイッチは、前記キャリアアグリゲーション回路が、キャリアアグリゲーションモードまたは非キャリアアグリゲーションモードで動作することを可能にする、キャリアアグリゲーション回路。
【請求項２】
前記第１のフィルタおよび前記第２のフィルタは、アンテナから前記入力ノードを通して信号を受信するように構成された入力ポートを含むダイプレクサの一部である、請求項１に記載のキャリアアグリゲーション回路。
【請求項３】
前記低雑音増幅器は、前記第１の周波数帯および前記第２の周波数帯に対応する受信した信号の周波数帯を増幅するように構成される、請求項１に記載のキャリアアグリゲーション回路。
【請求項４】
前記第１の位相シフト回路は、２つの直列容量と、前記２つの容量間のノードと接地を結合する誘導分路とを含む、請求項１に記載のキャリアアグリゲーション回路。
【請求項５】
前記第２の位相シフト回路は、２つの直列容量と、前記２つの容量間のノードと接地を結合する誘導分路とを含む、請求項４に記載のキャリアアグリゲーション回路。
【請求項６】
前記第１の位相シフト回路は、２つの直列インダクタンスと、前記２つのインダクタンス間のノードと接地を結合する容量性分路とを含む、請求項１に記載のキャリアアグリゲーション回路。
【請求項７】
前記第２の位相シフト回路は、２つの直列インダクタンスと、前記２つのインダクタンス間のノードと接地を結合する容量性分路とを含む、請求項６に記載のキャリアアグリゲーション回路。
【請求項８】
高周波モジュールであって、
複数の構成要素を支持するように構成された実装基板と、
前記実装基板上に実装されたキャリアアグリゲーション回路とを備え、前記キャリアアグリゲーション回路は、入力ノードと、低雑音増幅器の入力に結合されるように構成された共通ノードとを含み、前記キャリアアグリゲーション回路は、前記入力ノードと前記共通ノードとの間にある第１の受信経路を含み、前記第１の受信経路は、第１の周波数帯において整合インピーダンスを与え、かつ第２の周波数帯において不整合インピーダンスを与える第１のフィルタを含み、前記キャリアアグリゲーション回路はさらに前記入力ノードと前記共通ノードとの間にある第２の受信経路を含み、前記第２の受信経路は、前記第２の周波数帯において整合インピーダンスを与え、かつ前記第１の周波数帯において不整合インピーダンスを与える第２のフィルタを含み、前記キャリアアグリゲーション回路はさらに
前記第１の受信経路に沿って実装されて、前記第１の受信経路のために前記第１の周波数帯における前記整合インピーダンスを維持し、前記第１の受信経路のために前記第２の周波数帯における前記不整合インピーダンスを、前記第２の周波数帯における開放インピーダンスに調整する第１の位相シフト回路と、
前記第２の受信経路に沿って実装されて、前記第２の受信経路のために前記第２の周波数帯における前記整合インピーダンスを維持し、前記第２の受信経路のために前記第１の周波数帯における前記不整合インピーダンスを、前記第１の周波数帯における開放インピーダンスに調整する第２の位相シフト回路と、
前記第１の位相シフト回路と前記共通ノードとの間に実装された第１のスイッチと、前記第２の位相シフト回路と前記共通ノードとの間に実装された第２のスイッチとをさらに含み、前記第１のスイッチおよび前記第２のスイッチは、前記キャリアアグリゲーション回路が、キャリアアグリゲーションモードまたは非キャリアアグリゲーションモードで動作することを可能にする、高周波モジュール。
【請求項９】
前記第１のフィルタおよび前記第２のフィルタは各々表面弾性波フィルタを含む、請求項８に記載の高周波モジュール。
【請求項１０】
前記実装基板上に実装された低雑音増幅器をさらに備え、前記低雑音増幅器は、前記共通ノードに結合されることにより前記キャリアアグリゲーション回路からの合成信号を受ける、請求項８に記載の高周波モジュール。
【請求項１１】
前記高周波モジュールはダイバーシティ受信モジュールである、請求項８に記載の高周波モジュール。
【請求項１２】
前記第１の位相シフト回路および前記第２の位相シフト回路は各々、容量およびインダクタンス素子を含む、請求項８に記載の高周波モジュール。
【請求項１３】
無線装置であって、
高周波信号を処理するように構成された受信機と、
前記受信機と通信するキャリアアグリゲーション回路とを備え、前記キャリアアグリゲーション回路は、入力ノードと、低雑音増幅器の入力に結合されるように構成された共通ノードとを含み、前記キャリアアグリゲーション回路は、前記入力ノードと前記共通ノードとの間にある第１の受信経路を含み、前記第１の受信経路は、第１の周波数帯において整合インピーダンスを与え、かつ第２の周波数帯において不整合インピーダンスを与える第１のフィルタを含み、前記キャリアアグリゲーション回路はさらに前記入力ノードと前記共通ノードとの間にある第２の受信経路を含み、前記第２の受信経路は、前記第２の周波数帯において整合インピーダンスを与え、かつ前記第１の周波数帯において不整合インピーダンスを与える第２のフィルタを含み、前記キャリアアグリゲーション回路はさらに
前記第１の受信経路に沿って実装されて、前記第１の受信経路のために前記第１の周波数帯における前記整合インピーダンスを維持し、前記第１の受信経路のために前記第２の周波数帯における前記不整合インピーダンスを、前記第２の周波数帯における開放インピーダンスに調整する第１の位相シフト回路と、
前記第２の受信経路に沿って実装されて、前記第２の受信経路のために前記第２の周波数帯における前記整合インピーダンスを維持し、前記第２の受信経路のために前記第１の周波数帯における前記不整合インピーダンスを、前記第１の周波数帯における開放インピーダンスに調整する第２の位相シフト回路と、
前記第１の位相シフト回路と前記共通ノードとの間に実装された第１のスイッチと、前記第２の位相シフト回路と前記共通ノードとの間に実装された第２のスイッチとをさらに含み、前記第１のスイッチおよび前記第２のスイッチは、前記キャリアアグリゲーション回路が、キャリアアグリゲーションモードまたは非キャリアアグリゲーションモードで動作することを可能にし、前記無線装置はさらに、
前記キャリアアグリゲーション回路と通信するアンテナを備え、前記アンテナは前記信号を受信するように構成される、無線装置。
【請求項１４】
前記アンテナはダイバーシティアンテナである、請求項１３に記載の無線装置。
【請求項１５】
前記信号を前記ダイバーシティアンテナから前記受信機にルーティングするように構成されたアンテナスイッチモジュールをさらに備え、前記キャリアアグリゲーション回路は前記ダイバーシティアンテナと前記アンテナスイッチモジュールとの間に実装される、請求項１４に記載の無線装置。
【手続補正２】
【補正対象書類名】明細書
【補正対象項目名】０００９
【補正方法】変更
【補正の内容】
【０００９】
ある実施形態において、第１の経路および第２の経路は各々、ＣＡ回路がＣＡモードまたは非ＣＡモードで動作できるようにするスイッチを含み得る。第１の経路のスイッチは第１の位相シフト回路の出力にあってもよく、第２の経路のスイッチは第２の位相シフト回路の出力にあってもよい。ＣＡモードの場合は第１の経路および第２の経路のスイッチ双方を閉じればよい。非ＣＡモードの場合は２つのスイッチのうちの一方を開き他方を閉じればよい。
【手続補正３】
【補正対象書類名】明細書
【補正対象項目名】００２４
【補正方法】変更
【補正の内容】
【００２４】
図３において、再合成ＲＦ信号はＬＮＡ１２０に与えられ増幅により出力ノード１１４における低雑音の増幅出力信号を生成することが示されている。ＬＮＡ１２０は、十分に広い帯域幅に対して機能することにより再合成ＲＦ信号の第１および第２の帯域を効果的に増幅するように構成し得る。
【手続補正４】
【補正対象書類名】明細書
【補正対象項目名】００４１
【補正方法】変更
【補正の内容】
【００４１】
同様に、第２のフィルタ１２４のインピーダンスを、Ｂ帯域信号に対して所望のインピーダンスを与えるようにチューニングすることができる。したがって、Ｂ帯域フィルタ１２４の出力におけるＢ帯域信号に対するインピーダンスＺＢはほぼ整合された値ＺＯ（たとえば５０オーム）である。Ａ帯域では、Ｂ帯域フィルタ１２４の出力におけるＡ帯域信号に対するインピーダンスＺＡはＺＯに整合されていない。Ａ帯域はＢ帯域フィルタの阻止帯にあるので、この不整合の反射係数｜ΓＡ｜はほぼ１（unity）である。しかしながら、この反射の位相はフィルタの設計に依存する。したがって、Ｂ帯域フィルタ１２４の出力におけるＡ帯域信号に対するインピーダンスＺＡは、大幅に不整合な値でＺＯよりも大幅に大きいかまたは大幅に小さいかのいずれかである可能性がある。結果として｜ΓＡ｜〜１という状態になる。
【手続補正５】
【補正対象書類名】明細書
【補正対象項目名】００４６
【補正方法】変更
【補正の内容】
【００４６】
図１０は、図９の回路の、１．７９２ＧＨｚと２．１９５ＧＨｚの間の周波数（ｆｒｅｑ）掃引における、ＲＸ  Ｂ１ノード（左上のプロット）、ＲＸ  Ｂ３ノード（右上のプロット）、ＡＮＴ  Ｂ１ノード（左下のプロット）、およびＡＮＴ  Ｂ３ノード（右下のプロット）の、複素インピーダンス（ｉｍｐｅｄａｎｃｅ）値のスミスプロットの例を示す。より具体的には、ポイントｍ２８およびｍ２９のインピーダンス値はそれぞれ、ＲＸ  Ｂ１ノードにおけるＢ３  Ｒｘ帯域の下限（１．８０５ＧＨｚ）および上限（１．８８０ＧＨｚ）に対応し、ポイントｍ６およびｍ１４のインピーダンス値はそれぞれ、ＲＸ  Ｂ３ノードにおけるＢ１  Ｒｘ帯域の下限（２．１１０ＧＨｚ）および上限（２．１７０ＧＨｚ）に対応し、ポイントｍ５およびｍ７のインピーダンス値はそれぞれ、ＡＮＴ  Ｂ１ノードにおけるＢ３  Ｒｘ帯域の下限（１．８０５ＧＨｚ）および上限（１．８８０ＧＨｚ）に対応し、ポイントｍ３およびｍ４のインピーダンス値はそれぞれ、ＡＮＴ  Ｂ３ノードにおけるＢ１  Ｒｘ帯域の下限（２．１１０ＧＨｚ）および上限（２．１７０ＧＨｚ）に対応する。